(57)【要約】【課題】本発明は、補助リセット期間の前に発光セルに壁電荷を形成できるプラズマ表示装置及びその駆動方法を提供する。【解決手段】本発明によるプラズマ表示装置は、一方向に第１電極及び第２電極が形成されている。第１サブフィールドのリセット期間で、第１電極及び第２電極に第１リセット波形を印加し、第２サブフィールドのリセット期間で、第１電極及び第２電極に第１リセット波形を印加する。そして、第２サブフィールドのリセット期間の直前のプリセット期間の間に、第１電極に第１電圧を印加した状態で、第２電極の電圧を第２電圧から第３電圧までに漸進的に減少させる。【選択図】図３
2009037191.tif 000002
【特許請求の範囲】
【請求項１】
第１電極、第２電極及び複数の放電セルを含むプラズマ表示装置で、一つのフレームを複数のサブフィールドに分けて駆動する方法において、
前記複数のサブフィールド中、第１サブフィールドの第１リセット期間で、前記第１電極に第１電圧を印加した状態で、前記第２電極の電圧を第２電圧から第３電圧までに漸進的に増加させるステップと、
前記第１リセット期間で、前記第１電極に前記第１電圧より高い第４電圧を印加した状態で、前記第２電極の電圧を第５電圧から第６電圧までに漸進的に減少させるステップと、
前記複数のサブフィールド中、第２サブフィールドの第２リセット期間で、前記第１電極に第７電圧を印加した状態で、前記第２電極の電圧を第８電圧から第９電圧までに漸進的に増加させるステップと、
前記第２リセット期間で、前記第１電極に第１０電圧を印加した状態で、前記第２電極の電圧を第１１電圧から第１２電圧までに漸進的に減少させるステップと、
前記第２リセット期間直前の第１期間の間に、前記第１電極に第１３電圧を印加した状態で、前記第２電極の電圧を第１４電圧から第１５電圧までに漸進的に減少させるステップと、を含み、
前記第１電圧と前記第３電圧の差は、前記第７電圧と前記第９電圧の差より大きくて、前記第１０電圧と前記第１２電圧の差は、前記第１３電圧と前記第１５電圧の差より小さいことを特徴とする駆動方法。
【請求項２】
前記第９電圧と前記第７電圧の差が前記第１０電圧と前記第１２電圧の差より小さいことを特徴とする請求項１に記載の駆動方法。
【請求項３】
前記第１電圧は前記第７電圧と同じ電圧であり、
前記第４電圧は前記第１０電圧と同じ電圧であり、
前記第６電圧は前記第１２電圧と同じ電圧であることを特徴とする請求項２に記載の駆動方法。
【請求項４】
前記第１及び第２サブフィールドの各々で、
アドレス期間の間に発光セルと非発光セルを選択するステップと、
維持期間の間に前記発光セルで維持放電させるステップと、をさらに含むことを特徴とする請求項１乃至３のうちの何れか一つに記載の駆動方法。
【請求項５】
第１電極及び第２電極と、前記第１電極及び第２電極と交差する方向に形成されている第３電極とを含み、前記第１電極、第２電極及び第３電極によって、放電セルが形成されるプラズマ表示装置での一つのフレームを複数のサブフィールドに分けて駆動する方法において、
前記複数のサブフィールド中、第１サブフィールドのリセット期間で、前記第１電極の電圧から前記第２電極の電圧を差し引いた値を第１電圧から第２電圧までに漸進的に増加させた後、第３電圧から第４電圧までに漸進的に減少させるステップと、
前記複数のサブフィールド中、第２サブフィールドのリセット期間で、前記第１電極の電圧から前記第２電極の電圧を差し引いた値を第５電圧から前記第２電圧より低い第６電圧までに漸進的に増加させた後、第７電圧から第８電圧までに漸進的に減少させるステップと、
前記第２サブフィールドのリセット期間の直前のプリセット期間で、前記第１電極の電圧から前記第２電極の電圧を差し引いた値を第９電圧から前記第８電圧より低い第１０電圧までに漸進的に減少させるステップと、を含むことを特徴とする駆動方法。
【請求項６】
前記第４電圧と前記第８電圧は同一であることを特徴とする請求項５に記載の駆動方法。
【請求項７】
複数の第１電極と、
前記複数の第１電極と共に表示動作を行う複数の第２電極と、
複数の放電セルと、
一つのフレームが複数のサブフィールドに分割されて、駆動されるように制御する制御部と、
前記複数のサブフィールド中、第１サブフィールドのリセット期間で前記複数の放電セルに第１リセット波形を印加し、前記複数のサブフィールド中、第２サブフィールドのリセット期間で前記複数の放電セルに第２リセット波形を印加し、前記第２サブフィールドのリセット期間の直前のプリセット期間の間に前記複数の第１電極に第１電圧を印加した状態で、前記複数の第２電極の電圧を第２電圧から第３電圧までに漸進的に減少させる駆動部と、を含むことを特徴とするプラズマ表示装置。
【請求項８】
前記第２リセット波形は、前記複数の第１電極に第４電圧を印加した状態で、前記複数の第２電極の電圧を第５電圧から第６電圧までに漸進的に増加させて、前記複数の第１電極に第６電圧より低い第７電圧を印加した状態で、前記複数の第２電極の電圧を第８電圧から第９電圧までに漸進的に減少させる波形であり、
前記第７電圧と前記第９電圧の差が、前記第１電圧と前記第３電圧との差より小さいことを特徴とする請求項７に記載のプラズマ表示装置。
【請求項９】
前記第１リセット波形は、前記複数の第１電極に第１０電圧を印加した状態で、前記複数の第２電極の電圧を第１１電圧から第１２電圧までに漸進的に増加させて、前記複数の第１電極に第１０電圧より低い第１３電圧を印加した状態で、前記複数の第２電極の電圧を第１４電圧から第１５電圧までに漸進的に減少させる波形であり、
前記第１０電圧と前記第１２電圧との差が、前記第４電圧と前記第６電圧との差より大きいことを特徴とする請求項８に記載のプラズマ表示装置。
【請求項１０】
前記第６電圧と前記第４電圧との差が前記第７電圧と前記第９電圧との差より小さく、
前記第１２電圧と前記第１０電圧との差が前記第１３電圧と前記第１５電圧との差より大きいことを特徴とする請求項９に記載のプラズマ表示装置。
【請求項１１】
前記第４電圧と前記第１０電圧が同じ電圧であり、
前記第７電圧と前記第１３電圧が同じ電圧であり、
前記第９電圧と前記第１５電圧が同じ電圧であることを特徴とする請求項１０に記載のプラズマ表示装置。
【発明の詳細な説明】
【技術分野】
【０００１】
本発明はプラズマ表示装置及びその駆動方法に関する。
【背景技術】
【０００２】
プラズマ表示装置は、気体放電によって生成されたプラズマを利用して、文字または映像を表示するプラズマ表示パネルを用いた表示装置である。
【０００３】
プラズマ表示装置は、１つのフレームが各々の輝度加重値を有する複数のサブフィールドに分けて駆動する。各サブフィールドのリセット期間の間、リセット放電を通してセルが初期化され、アドレス期間の間、アドレス放電を通して発光セルと非発光セルが選択する。そして、維持期間の間に発光セルで当該サブフィールドの加重値に対応する回数だけ維持放電が発生して、映像が表示される。この時、１つのフレームのうち、一部サブフィールドのリセット期間は、すべてのセルでリセット放電を発生するメインリセット期間で構成され、残りの一部サブフィールドのリセット期間は、バックグラウンド輝度を減らすために直前のサブフィールドで維持放電が発生した発光セルでだけリセット放電を発生する補助リセット期間で構成される。
【０００４】
しかし、不安定なアドレス放電または不安定な維持放電により、発光セルに形成された壁電荷が消失して非発光セルとなる場合に、補助リセット期間では発光セルの消失した壁電荷を挽回することができない。これによって、正確な階調を表示できなくなる問題が生じる。
【発明の開示】
【発明が解決しようとする課題】
【０００５】
本発明が解決しようとする課題は、補助リセット期間の前に発光セルに壁電荷を形成できるプラズマ表示装置、及びその駆動方法を提供することである。
【課題を解決するための手段】
【０００６】
本発明の実施形態１によると、第１電極、第２電極及び複数の放電セルを含むプラズマ表示装置で、一つのフレームを複数のサブフィールドに分けて駆動する方法が提供される。この駆動方法は、前記複数のサブフィールド中、第１サブフィールドの第１リセット期間で、前記第１電極に第１電圧を印加した状態で、前記第２電極の電圧を第２電圧から第３電圧までに漸進的に増加させるステップと、前記第１リセット期間で、前記第１電極に前記第１電圧より高い第４電圧を印加した状態で、前記第２電極の電圧を第５電圧から第６電圧までに漸進的に減少させるステップと、前記複数のサブフィールド中、第２サブフィールドの第２リセット期間で、前記第１電極に第７電圧を印加した状態で、前記第２電極の電圧を第８電圧から第９電圧に漸進的に増加させるステップと、前記第２リセット期間で、前記第１電極に第１０電圧を印加した状態で、前記第２電極の電圧を第１１電圧から第１２電圧までに漸進的に減少させるステップと、そして前記第２リセット期間の直前の第１期間の間、前記第１電極に第１３電圧を印加した状態で、前記第２電極の電圧を第１４電圧から第１５電圧までに漸進的に減少させるステップと、を含む。この時、前記第３電圧と前記第１電圧の差は、前記第７電圧と前記第９電圧の差より大きくて、前記第１０電圧と前記第１２電圧の差は、前記第１３電圧と前記第１５電圧の差より小さい。
【０００７】
本発明の実施形態２によると、第１電極及び第２電極と前記第１電極及び第２電極と交差方向に形成されている第３電極を含み、前記第１電極、第２電極及び第３電極によって放電セルが形成されるプラズマ表示装置で、１つのフレームを複数のサブフィールドに分けて駆動される方法が提供される。この駆動方法は、前記複数のサブフィールド中、第１サブフィールドのリセット期間で、前記第１電極の電圧から前記第２電極の電圧を差し引いた値を第１電圧から第２電圧までに漸進的に増加させた後、第３電圧から第４電圧までに漸進的に減少させるステップと、前記複数のサブフィールド中、第２サブフィールドのリセット期間で、前記第１電極の電圧から前記第２電極の電圧を差し引いた値を第５電圧から前記第２電圧より低い第６電圧までに漸進的に増加させた後、第７電圧から第８電圧までに漸進的に減少させるステップと、そして前記第２サブフィールドのリセット期間の直前のプリセット期間で、前記第１電極の電圧から前記第２電極の電圧を差し引いた値を第９電圧から前記第８電圧より低い第１０電圧までに漸進的に減少させるステップと、を含む。
【０００８】
本発明の実施形態３によると、複数の第１電極、前記複数の第１電極と共に表示動作を行う複数の第２電極と、複数の放電セルと、一つのフレームが複数のサブフィールドに分割されて駆動されるように制御する制御部と、そして駆動部を含むプラズマ表示装置と、が提供される。この時、駆動部は、前記複数のサブフィールド中、第１サブフィールドのリセット期間で、前記複数の放電セルをリセット放電させる第１リセット波形を印加し、前記複数のサブフィールド中、第２サブフィールドのリセット期間で、前記複数の放電セル中発光セルをリセット放電させる第２リセット波形を印加し、前記第２サブフィールドのリセット期間の直前のプリセット期間の間に、前記複数の第１電極に第１電圧を印加した状態で、前記複数の第２電極の電圧を第２電圧から第３電圧まで漸進的に減少させる。
【発明の効果】
【０００９】
本発明により、不安定なアドレス放電または不安定な維持放電により発光セルが非発光セルになっても、補助リセット期間の直前のプリセット期間で発光セルの壁電荷を補償することによって、補助リセット期間で発光セルに弱放電を円滑に発生させる。これによって正確な階調表示ができる。
【発明を実施するための最良の形態】
【００１０】
以下、添付図を参照して、本発明の実施形態について、本発明が属する技術分野で通常の知識を有する者が容易に実施できるように詳しく説明する。しかし、本発明は多様な形態に具現され、ここで説明する実施形態に限られない。そして、図面で本発明を明確に説明するため、説明上不要な部分は省略した。明細書全体にわたって類似する部分については同一図面符号を付けた。
【００１１】
明細書全体で、ある部分がある構成要素を「含む」とする時、これは特に反対の記載がない限り、他の構成要素を除くのではなく、他の構成要素をさらに含むことができることを意味する。
【００１２】
そして、本発明で言及される壁電荷とは、セルの壁（例えば、誘電体層）上で各電極の近くに形成される電荷をいう。壁電荷は実際に電極自体と接触するものではないが、ここでは電極に「形成される」、「蓄積される」または「積もる」のように表現して説明する。また、壁電圧は、壁電荷によりセルの壁に形成される電位差をいう。そして、弱放電は、アドレス期間でのアドレス放電及び維持期間での維持放電より弱い放電をいう。
【００１３】
以下、本発明の実施形態によるプラズマ表示装置及びその駆動方法について、図面を参照して詳細に説明する。
【００１４】
図１は本発明の実施形態によるプラズマ表示装置を概略的に示した図面である。図１に示したように、本発明の実施形態によるプラズマ表示装置は、プラズマ表示パネル１００、制御部２００、アドレス電極駆動部３００、走査電極駆動部４００及び維持電極駆動部５００を含む。
【００１５】
プラズマ表示パネル１００は、列方向にのびている複数のアドレス電極（以下、「Ａ電極」という）（Ａ１−Ａｍ）、そして行方向に互いに対をなしながらのびている複数の維持電極（以下、「Ｘ電極」という）（Ｘ１−Ｘｎ）、及び走査電極（以下、「Ｙ電極」という）（Ｙ１−Ｙｎ）を含む。一般にＸ電極（Ｘ１−Ｘｎ）は各Ｙ電極（Ｙ１−Ｙｎ）に対応して形成されており、Ｘ電極（Ｘ１−Ｘｎ）とＹ電極（Ｙ１−Ｙｎ）が維持期間で画像を表示すための表示動作を行う。Ｙ電極（Ｙ１−Ｙｎ）とＸ電極（Ｘ１−Ｘｎ）は、Ａ電極（Ａ１−Ａｍ）と直交するように配置される。この時、Ａ電極（Ａ１−Ａｍ）とＸ及びＹ電極（Ｘ１−Ｘｎ、Ｙ１−Ｙｎ）の交差部にある放電空間が放電セル１１０を形成する。このようなプラズマ表示パネル１００の構造は一つの例であり、下記で説明する駆動波形が適用できる他の構造のパネルにも本発明が適用される。
【００１６】
制御部２００は外部から映像信号を受信して、Ａ電極、Ｘ電極及びＹ電極の駆動制御信号を出力し、一つのフレームを各々の輝度加重値を有する複数のサブフィールドに分割して駆動する。
【００１７】
アドレス電極駆動部３００は、制御部２００からの駆動制御信号によってＡ電極（Ａ１−Ａｍ）に駆動電圧を印加する。
【００１８】
走査電極駆動部４００は、制御部２００からの駆動制御信号によってＹ電極（Ｙ１−Ｙｎ）に駆動電圧を印加する。
【００１９】
維持電極駆動部５００は、制御部２００からの駆動制御信号によってＸ電極（Ｘ１−Ｘｎ）に駆動電圧を印加する。
【００２０】
図２は本発明の実施形態によるプラズマ表示装置の駆動方法を概略的に示した図面である。図２に示したように、１つのフレームは、各々の加重値を有する複数のサブフィールドで構成される。図２では１つのフレームの加重値が各々１、２、３、５、８、１２、１８、１９、４０、５９及び７８の１１個のサブフィールド（ＳＦ１−ＳＦ１１）で構成されることを示した。各サブフィールド（ＳＦ１−ＳＦ１１）は、リセット期間、アドレス期間及び維持期間で構成される。この時、複数のサブフィールドのうちの一部のサブフィールドのリセット期間は、メインリセット期間であり、複数のサブフィールド中残り一部のサブフィールドのリセット期間は補助リセット期間でありうる。図２においては、サブフィールド（ＳＦ１）のリセット期間がメインリセット期間であり、サブフィールド（ＳＦ２−ＳＦ１１）のリセット期間がサブリセット期間であると示した。
【００２１】
図３は本発明の実施形態によるプラズマ表示装置の駆動波形を示した図面である。図３では説明の便宜上、複数のサブフィールド中、二つのサブフィールド（ＳＦ１、ＳＦ２）の駆動波形だけ示し、一つのＸ電極とＹ電極及びＡ電極によって形成されるセルを基準として説明する。
【００２２】
図３に示したように、サブフィールド（ＳＦ１）のメインリセット期間で、アドレス電極駆動部３００及び維持電極駆動部５００は、各々Ａ電極及びＸ電極を基準電圧（図３では０Ｖ電圧）にバイアスし、走査電極駆動部４００は、Ｙ電極の電圧をＶｓ電圧からＶｓｅｔ電圧までに漸進的に増加させる。図３ではＹ電極の電圧をランプ状に増加させることを示した。それにより、Ｙ電極の電圧が増加するうちにＹ電極とＸ電極の間及びＹ電極とＡ電極間で微弱な放電（以下、「弱放電」という）が発生しながら、Ｙ電極には（−）壁電荷が形成され、Ｘ及びＡ電極には（＋）壁電荷が形成される。この時、すべてのセルで放電が発生するように、Ｖｓｅｔ電圧はＸ電極とＹ電極の間の放電開始電圧より大きく設定できる。
【００２３】
次に、維持電極駆動部５００は、Ｘ電極をＶｅ電圧でバイアスし、走査電極駆動部４００はＹ電極の電圧をＶｓ電圧からＶｎｆ電圧までに漸進的に減少させる。図３では、Ｙ電極の電圧をランプ状に減少させることを示した。以下、Ｙ電極の電圧が減少するうちにＹ電極とＸ電極の間、及びＹ電極とＡ電極間で弱放電が発生しながら、Ｙ電極に形成された（−）壁電荷とＸ電極及びＡ電極に形成された（＋）壁電荷が消去される。一般に、アドレス期間で選択されないセルが維持期間で維持放電を起こさないように、Ｙ電極とＸ電極の間の壁電圧が約０Ｖに近いＶｅ電圧とＶｎｆ電圧が設定される。つまり、（Ｖｅ−Ｖｎｆ）電圧がＹ電極とＸ電極の間の放電開始電圧程度に設定される。
【００２４】
次に、アドレス期間で、維持電極駆動部５００は、Ｘ電極の電圧をＶｅ電圧に維持した状態で発光セルを選択するために、走査電極駆動部４００及びアドレス電極駆動部３００は、Ｙ電極とＡ電極に各々ＶｓｃＬ電圧を有する走査パルス、及びＶａ電圧を有するアドレスパルスを印加する。そして、走査電極駆動部４００は、ＶｓｃＬ電圧が印加されないＹ電極でＶｓｃＬ電圧より高いＶｓｃＨ電圧にバイアスされて、アドレス電極駆動部３００は、非発光セルのＡ電極には基準電圧が印加される。この時、ＶｓｃＬ電圧は、Ｖｎｆ電圧と同一または低い電圧になってもよい。
【００２５】
具体的に、アドレス期間で、走査電極駆動部４００及びアドレス電極駆動部３００は、最初の行のＹ電極（図１のＹ１）に走査パルスを印加すると同時に、最初の行のうち、発光セルに位置するＡ電極にアドレスパルスを印加する。それにより、最初の行のＹ電極とアドレスパルスが印加されたＡ電極との間でアドレス放電が発生して、Ｙ電極に（＋）壁電荷、Ａ及びＸ電極に各々（−）壁電荷が形成される。次に、走査電極駆動部４００及びアドレス電極駆動部３００は、第２行のＹ電極（図１のＹ２）に走査パルスを印加しながら第２行中の発光セルに位置するＡ電極にアドレスパルスを印加する。それにより、アドレスパルスが印加されたＡ電極と第２行のＹ電極によって形成されるセルでアドレス放電が発生して、セルに壁電荷が形成される。同様に、走査電極駆動部４００及びアドレス電極駆動部３００は、残りの行のＹ電極に対しても順次に走査パルスを印加しながら、発光セルに位置するＡ電極にアドレスパルスを印加して、壁電荷を形成する。
【００２６】
次に、維持期間で、走査電極駆動部４００は、Ｙ電極にハイレベル電圧（図３ではＶｓ）とローレベル電圧（図３では０Ｖ）とを交互に有する維持パルスを当該サブフィールドの加重値に該当する回数だけ印加する。そして、維持電極駆動部５００は、Ｘ電極に維持パルスをＹ電極に印加される維持パルスとは逆位相のパルスを印加する。それにより、Ｙ電極とＸ電極の電圧差がＶｓ電圧と−Ｖｓ電圧とを交互に有し、そのために発光セルで維持放電が所定回数だけ繰り返し発生する。
【００２７】
本発明の実施形態によると、サブフィールド（ＳＦ２）の補助リセット期間の直前にプリセット期間が位置する。プリセット期間で、維持電極駆動部５００はＸ電極にＶｐｘ電圧を印加し、走査電極駆動部４００はＹ電極の電圧を基準電圧からＶｐｙ電圧までに漸進的に減少させる。また、アドレス電極駆動部３００はＡ電極に基準電圧を印加する。この時、プリセット期間でＸ電極とＹ電極に印加された電圧の差は、次の（１）式を満足させるように設定される。
【数１】
2009037191.tif 000003
【００２８】
ここで、Ｖｐは実験によって決定でき、補助リセット期間の間に非発光セルで弱放電の発生が少なくなるように非発光セルに壁電荷を形成し、発光セルの消失した壁電荷を補償できる電圧レベルである。
【００２９】
つまり、（Ｖｅ−Ｖｎｆ）電圧の大きさがＸ電極とＹ電極の間の放電開始電圧に近似するように設定されて、Ｘ電極とＹ電極の間の壁電圧が約０Ｖとなるため、（Ｖｐｘ−Ｖｐｙ）電圧の絶対値が（Ｖｅ−Ｖｎｆ）電圧の絶対値より大きくてＶｐ電圧より小さいと、すべての放電セルのＹ電極及びＸ電極に各々（＋）及び（−）壁電荷が適切に形成できる。従って、不安定なアドレス放電または不安定な維持放電により、発光セルに形成された壁電荷が消失されても、補助リセット期間の直前のプリセット期間で消失された壁電荷を補償することができる。
【００３０】
次に、サブフィールド（ＳＦ２）の補助リセット期間で、維持電極駆動部５００はＸ電極に基準電圧を印加し、走査電極駆動部４００はＹ電極の電圧をＶｓ１電圧からＶｓｅｔ１電圧までに漸進的に増加させる。以下、発光セルのＸ電極とＹ電極の間の壁電圧とＹ電極に印加される電圧の和がＸ電極とＹ電極の間の放電開始電圧を越えると共に、発光セルのＹ電極とＸ電極間に弱放電が発生し、発光セルのＹ電極とＡ電極の間の壁電圧とＹ電極に印加される電圧の和がＡ電極とＹ電極の間の放電開始電圧を越えると、発光セルのＹ電極とＡ電極間でも弱放電が発生する。その結果、発光セルのＹ電極には、（−）壁電荷が形成され、発光セルのＸ及びＡ電極には（＋）壁電荷が形成される。また、プリセット期間で非発光セルのＹ電極とＸ電極にも各々（＋）及び（−）壁電荷が形成されているため、非発光セルのＸ電極とＹ電極の間、及び非発光セルのＹ電極とＡ電極間で弱放電が発生する。しかし、補助リセット期間で非発光セルに発生する弱放電量は、発光セルで発生する弱放電量より少量であるため、バックグラウンド輝度に多くの影響を与えられないことがある。
【００３１】
一方、サブフィールド（ＳＦ２）のリセット期間は、補助リセット期間であるため、直前のサブフィールド（ＳＦ１）で維持放電が発生しない場合に、リセット放電が発生しないようにＶｓｅｔ１電圧を設定する。しかし、前述のように、Ｙ電極の電圧がＶｓｅｔ電圧まで増加すると、すべてのセルでリセット放電が発生するため、Ｖｓｅｔ１電圧はＶｓｅｔ電圧より低い電圧に設定できる。また、補助リセット期間でＹ電極とＸ電極に印加された電圧の差（Ｖｓｅｔ１−０Ｖ）は次の（２）式を満足させるように設定される。
【数２】
2009037191.tif 000004
【００３２】
つまり、プリセット期間の間に少ない量の壁電荷が形成されるため、Ｖｓｅｔ１電圧が（Ｖｅ−Ｖｎｆ）電圧の絶対値より小さいと、補助リセット期間の間の非発光セルでの放電発生が少なくなる。
【００３３】
このように、本発明の実施形態によると、補助リセット期間の直前のプリセット期間の間に発光セルの消失された壁電荷を補償することにより、発光セルで弱放電が円滑に発生される。また、非発光セルの壁電荷を適切に形成することによって、非発光セルで発生される弱放電を減らすことができる。
【００３４】
次に、補助リセット期間で維持電極駆動部５００及びアドレス電極駆動部３００は、各々Ｘ電極とＡ電極にＶｅ電圧と基準電圧を印加した状態で、走査電極駆動部４００は、Ｙ電極電圧をＶｓ２電圧からＶｎｆ電圧までに漸進的に減少させる。Ｙ電極の電圧をＶｓｅｔ１電圧からＶｎｆ電圧までに漸進的に減少させることができるが、このようにすると、リセット期間が長くなるため、放電が始まらないＶｓ２電圧から減少できる。以下、Ｙ電極の電圧が減少するうちに、発光セルのＹ電極とＸ電極との間及び発光セルのＹ電極とＡ電極との間で弱放電が発生し、発光セルのＹ電極に形成された（−）壁電荷と発光セルのＸ及びＡ電極に形成された（＋）壁電荷が消去される。また、Ｙ電極の電圧が減少するうちに、非発光セルのＹ電極とＸ電極との間、及び非発光セルのＹ電極とＡ電極と間でも弱放電が発光セルより少なく発生しながら、非発光セルのＹ電極に形成された（−）壁電荷とＸ及びＡ電極に形成された（＋）壁電荷が消去される。
【００３５】
次に、サブフィールド（ＳＦ２）でも、アドレス期間でアドレス放電を通して発光セルと非発光セルを選択し、維持期間で発光セルに対して維持放電を行う。
【００３６】
以上、本発明の実施形態について詳細に説明したが、本発明の権利範囲はこれに限定されるのではなく、特許請求の範囲で定義している本発明の基本概念を用いた当業者の多様な変形及び改良形態も、本発明の権利範囲に属する。
【図面の簡単な説明】
【００３７】
【図１】本発明の実施形態によるプラズマ表示装置を概略的に示した図である。
【図２】本発明の実施形態によるプラズマ表示装置の駆動方法を概略的に示した図である。
【図３】本発明の実施形態によるプラズマ表示装置の駆動波形を示した図である。
【符号の説明】
【００３８】
１００      プラズマ表示パネル
１１０      放電セル
２００      制御部
３００      アドレス電極駆動部
４００      維持電極駆動部
５００      走査電極駆動部
【図１】
2009037191.tif 000005
【図２】
2009037191.tif 000006
【図３】
2009037191.tif 000007